(57)【要約】      （修正有）【課題】作業性に優れ、効率良い受信を実現するループコイルを搭載した体内情報取得装置を提供すること。【解決手段】カプセル内視鏡の受信コイル形成基板３０は、パイプ形状の外周面を構成する一面側表面の第１辺側に平行に配列された第１接続ランド３２と、内周面を構成する他面側表面３０ｈの第２辺３９側に平行に配列され、第１接続ランド３２に対向する第２接続ランド３３と、第１接続ランド３２に一端が接続され、第１辺に対して傾斜したループコイル形成パターン３１と、ループコイル形成パターン３１の他端と第２接続ランド３３とを電気的に接続する第１スルーホール３４と、第１接続パターン２４とループアンテナの一端とを電気的に接続する第２スルーホール３５及び第１配線パターン３６と、第２接続パターン２５とループアンテナの他端になる第２接続ランド３３ｒとを電気的に接続する第２配線パターン３７と、を具備する。【選択図】図３
2013005835.tif 000002
【特許請求の範囲】
【請求項１】
撮像部、照明部、信号処理部、制御部等の機能部を構成する複数の円形回路基板と、丸められてパイプ形状に形成されて前記回路基板の外周に沿って配置される長方形形状の受信コイル形成基板と、前記基板同士を接続する配線を備え可撓性を有する複数の接続ストリップ基板と、を一体にした生体情報取得装置内蔵基板を具備する体内情報取得装置において、
前記受信コイル形成基板は、
丸めて形成されるパイプ形状部の外周面を構成する一面側表面の第１辺側に、予め定めた間隔で該第１辺に対して平行に配列された複数の第１接続ランドと、
前記パイプ形状部の内周面を構成する他面側表面の前記第１辺に対向する前記第２辺側に、前記複数の第１接続ランドにそれぞれ対向する位置関係で該第２辺に対して平行に配列された複数の第２接続ランドと、
前記一面側表面に形成された第１接続ランドに一端が接続され、前記第１辺に対して予め定めた角度で傾斜して形成された複数のループコイル形成パターンと、
前記ループコイル形成パターンの他端と前記第２接続ランドとを電気的に接続する第１接続部と、
前記接続ストリップ基板の配線である第１接続パターンと前記ループアンテナの一端を構成するループコイル形成パターンの端部とを電気的に接続する第２接続部と、
前記接続ストリップ基板の配線である第２接続パターンと前記ループアンテナの他端を構成する第２接続ランドとを電気的に接続する第３接続部と、
を具備することを特徴とする体内情報取得装置。
【請求項２】
前記第１接続部は、他面側表面の前記第２接続ランドと、一面側表面の前記第１接続ランドに一端が接続された前記ループコイル形成パターンの他端と、を電気的に接続する第１スルーホールであることを特徴とする請求項１に記載の体内情報取得装置。
【請求項３】
前記第１接続部は、接続線と第１スルーホールとであって、一面側表面の前記ループコイル形成パターンの他端と、他面側表面の前記第２接続ランドに一端が接続されて前記ループコイル形成パターンと同じ角度で傾斜した接続線の他端とを第１スルーホールによって電気的に接続することを特徴とする請求項１に記載の体内情報取得装置。
【請求項４】
前記受信コイル形成基板の前記第１接続ランドと前記第２接続ランドとは、丸められてパイプ形状に形成された状態において当接配置され、当該第１接続ランドと当該第２接続ランドとを電気的に接続固定することによって前記受信コイル形成基板がパイプ形状に保持されることを特徴とする請求項１に記載の体内情報取得装置。
【請求項５】
前記受信コイル形成基板の四隅に、該受信コイル形成基板を丸めてパイプ形状にして前記第１接続ランドと前記第２接続ランドとの対向位置関係を保持するためのガイドピンが挿通配置されるガイド孔を設けたことを特徴とする請求項４に記載の体内情報取得装置。
【請求項６】
前記受信コイル形成基板の予め定めた位置に、該受信コイル形成基板を丸めてパイプ形状にして前記第１接続ランドと前記第２接続ランドとの対向位置関係を保持する、第１切欠を有する係入溝および前記第１切欠に係入配置される第２切欠を有する係入部、を設けたことを特徴とする請求項４に記載の体内情報取得装置。
【発明の詳細な説明】
【技術分野】
【０００１】
本発明は、生体外部からの電力供給を受ける、或いは、起動又は停止に用いる信号を受信するコイルを備えた生体情報取得装置に関する。
【背景技術】
【０００２】
近年、体腔内の観察及び検査等を行うための医療用システムとして、生体情報取得装置、例えばカプセル内視鏡が用いられている。近年、カプセル内視鏡に無線方式により電気エネルギ（電力）を供給する無線給電システムを含むカプセル内視鏡システムが注目されている。  
カプセル内視鏡においては、カプセル筐体の内部には、撮像光学系、撮像手段、照明手段、通信手段、受電手段等が収納されている。
【０００３】
例えば、特許文献１には受電用コイルおよび撮像機構等の機能実行手段を備え、製造を簡易に行うことが可能なカプセル型内視鏡が示されている。このカプセル型内視鏡においては、円筒形状の静電遮蔽部材の外周面に、配線をループコイルとなるように巻回して、受電用コイルを設けている。
【０００４】
また、特許文献２のカプセル内視鏡には、回路基板上にイメージセンサー部、信号処理部、変調、送信アンプ部等の機能実行部と、受電アンテナ部と、を一体に形成した構成が示されている。具体的に、回路基板は、３枚の円形回路基板と１枚のフレキシブル基板とをストリップ基板でそれぞれ連結した形状である。３枚の円形回路基板は、それぞれ平行になるようにストリップ基板において折り曲げられて略円柱状に組み立てられ、その後、円柱状の円形回路基板に受電アンテナ部を巻き付けた状態にしてカプセル内に収納される。この結果、カプセル内視鏡においては、カプセルの全周面から電力を受けることが可能である。
【先行技術文献】
【特許文献】
【０００５】
【特許文献１】特開２００６−１４９６８５号公報
【特許文献２】特許４３３８２８０号公報
【発明の概要】
【発明が解決しようとする課題】
【０００６】
しかしながら、特許文献１のカプセル型内視鏡では、配線の端部と例えば機能実行部とを接続する必要があり、その接続作業は煩雑である。一方、特許文献２に示されたカプセル内視鏡では、接続作業の繁雑性からは解放される。しかし、フレキシブル基板の配線が左右方向に往復する形状で形成されているため、円筒状に形成した受信アンテナを通過する鎖交磁束により、隣り合う配線に逆方向の電流を流そうとするため、効率の良い受信ができないという欠点がある。
【０００７】
本発明は上記事情に鑑みてなされたものであり、作業性に優れ、効率良い受信を実現するループコイルを搭載した体内情報取得装置を提供することを目的にしている。
【課題を解決するための手段】
【０００８】
本発明の一態様における体内情報取得装置は、撮像部、照明部、信号処理部、制御部等の機能部を構成する複数の円形回路基板と、丸められてパイプ形状に形成されて前記回路基板の外周に沿って配置される長方形形状の受信コイル形成基板と、前記基板同士を接続する配線を備え可撓性を有する複数の接続ストリップ基板と、を一体にした生体情報取得装置内蔵基板を具備する体内情報取得装置であって、
前記受信コイル形成基板は、丸めて形成されるパイプ形状部の外周面を構成する一面側表面の第１辺側に、予め定めた間隔で該第１辺に対して平行に配列された複数の第１接続ランドと、前記パイプ形状部の内周面を構成する他面側表面の前記第１辺に対向する前記第２辺側に、前記複数の第１接続ランドにそれぞれ対向する位置関係で該第２辺に対して平行に配列された複数の第２接続ランドと、前記一面側表面に形成された第１接続ランドに一端が接続され、前記第１辺に対して予め定めた角度で傾斜して形成された複数のループコイル形成パターンと、前記ループコイル形成パターンの他端と前記第２接続ランドとを電気的に接続する第１接続部と、前記接続ストリップ基板の配線である第１接続パターンと、前記ループアンテナの一端とを電気的に接続する第２接続部と、前記接続ストリップ基板の配線である第２接続パターンと前記ループアンテナの他端になる第２接続ランドとを電気的に接続する第３接続部と、を具備している。
【発明の効果】
【０００９】
本発明によれば、効率良い受信を実現するループコイルを搭載した体内情報取得装置を実現できる。
【図面の簡単な説明】
【００１０】
【図１】体内情報取得装置の１つであるカプセル内視鏡の概略構成を説明するブロック図
【図２】カプセル内視鏡が備える、複数の円形回路基板と、受信コイル形成基板と、基板同士を接続する接続ストリップ基板とを一体に備える生体情報取得装置内蔵基板の構成を説明する図
【図３】図２の受信コイル形成基板の構成を説明する図
【図４】円形回路基板を接続ストリップ基板に対して折り曲げて複数の回路基板を円筒形状に構成した状態を説明する図
【図５】丸めてパイプ形状に形作った第１実施形態の受信コイル形成基板を説明する図
【図６】図５のパイプ形状受信コイル形成基板を矢印Ｙ６側から見た図
【図７】パイプ形状の受信コイル形成基板と略円筒形状の円形回路基板等とを説明する図
【図８】パイプ形状の受信コイル形成基板内に略円筒形状の円形回路基板等を収容した状態を説明する図
【図９】図２とは異なる位置で、複数の円形回路基板と、受信コイル形成基板とが接続ストリップ基板によって一体にされた生体情報取得装置内蔵基板の構成例を示す図
【図１０】図３の受信コイル形成基板とは異なる構成の受信コイル形成基板を説明する図
【図１１】受信コイル形成基板の変形例であって、ガイドピンが配置されるガイド孔を有する受信コイル形成基板を説明する図
【図１２】受信コイル形成基板の他の変形例であって、係入溝と係入部とを有する受信コイル形成基板を説明する図
【発明を実施するための形態】
【００１１】
以下、図面を参照して本発明の実施の形態を説明する。  
図１−図８を参照して本発明の一実施形態を説明する。  
図１に示すように本実施形態の体内情報取得装置の一つであるカプセル内視鏡１は、図示しないカプセル形状の筐体内に、受信用ループコイル（以下、ループコイルと略記する）２と、電源部３と、機能実行部４とを備えている。  
本実施形態において、ループコイル２は、カプセル内視鏡１の外部装置である送受信装置（不図示）から出力される交流磁場に基づき誘導起電力を生じるための受信用コイルである。
【００１２】
電源部３は、例えば、電力生成部（不図示）と、蓄電池（不図示）とを備えて構成されている。電力生成部は、ループコイル２と一体的に形成された配線２ａを介してループコイル２にて生じた誘導起電力を入力し、駆動電力を生成する。蓄電池は、電力生成部によって生成された電力を貯蔵し、必要に応じて駆動電力として機能実行部４に出力する。
【００１３】
機能実行部４は、撮像部５と、照明部６と、信号処理部７と、無線送受信部８と、制御部９とを備えている。撮像部５は、例えば被検体の体腔内の画像を撮像する。照明部６は、撮像部５により良好な画像を取得するための体腔内を照明する。信号処理部７は、撮像部５によって得られたデータに対して所定の信号処理を施す。無線送信部８は、信号処理部７の処理によって得られた信号を送受信装置に対して無線送信するための信号処理を施す。制御部９は、各部５、６、７、８の駆動状態等を制御する。
【００１４】
電源部３、機能実行部４である撮像部５、照明部６、信号処理部７、無線送受信部８、及び制御部９は、図２に示すように複数の円形回路基板（本図においては３枚）１１、１２、１３の基板上に搭載した各種光学素子（不図示）、及び各種電子部品（不図示）等を組み合わせて構成されている。
【００１５】
第１円形回路基板１１と第２円形回路基板１２との電気的な接続、第２円形回路基板と１２と第３円形回路基板１３との電気的な接続、および第３円形回路基板１３と後述する受信コイル形成基板３０との電気的な接続は、接続ストリップ基板２１、２２、２３に設けられる配線（不図示）によって行われるようになっている。
【００１６】
本実施形態において、受信コイル形成基板３０は、ループコイル形成基板であって、受信コイル形成基板３０を予め定めた方向に対して丸めてパイプ形状に構成することによってループコイル２が得られるようになっている。
【００１７】
なお、本実施形態において、複数の円形回路基板１１、１２、１３と、複数の接続ストリップ基板２１、２２、２３と、受信コイル形成基板３０とを含めて生体情報取得装置内蔵基板１０と呼ぶ。生体情報取得装置内蔵基板１０は、カプセル形状の筐体内に収容される。また、円形回路基板の数は、３枚に限定されるものではなく、それ以下であってもそれ以上であってもよい。
【００１８】
図３に示す受信コイル形成基板３０は、両面フレキシブル基板である。受信コイル形成基板３０は、一面側表面（図３における面３０ｈの裏面）３０ｔ（図４参照））に、ループコイル２を構成するためのループコイル形成パターン３１を複数、備えている。一面側表面３０ｔは、受信コイル形成基板３０を丸めてパイプ形状を構成した際、外周面になる。
【００１９】
受信コイル形成基板３０には、複数のループコイル形成パターン３１の他に、複数の第１接続ランド３２と、複数の第２接続ランド３３と、第１接続部である複数の第１スルーホール３４と、第２接続部である第２スルーホール３５及び第１配線パターン３６と、第３接続部である第２配線パターン３７と、を備えている。  
なお、図中においては、ランド３２、３３等を４つ記載しているが、ランド３２、３３等の数は４つに限定されるものではなくそれ以上であってもよいし、ループコイル形成パターン３１の本数に応じて増減してもよい。
【００２０】
複数の第１接続ランド３２は、ループコイル形成パターン３１と同様に一面側表面３０ｔに形成されている。複数の第１接続ランド３２は、予め定めた形状に形成されており、予め定めた間隔で受信コイル形成基板３０の第１辺３８から予め定めた距離離間して平行に配列されている。
【００２１】
複数のループコイル形成パターン３１のそれぞれの一端は、第１接続ランド３２に接続されている。また、複数のループコイル形成パターン３１は、それぞれ第１辺３８に対して予め定めた角度θ、傾斜して、予め定めた長さ寸法及び幅寸法で形成されている。
【００２２】
複数の第２接続ランド３３は、受信コイル形成基板３０のパイプ形状内周面を構成する他面側表面である面３０ｈに形成されている。複数の第２接続ランド３３は、受信コイル形成基板３０の第１辺３８に対向する第２辺３９から予め定めた距離離間して複数の第１接続ランド３２と同間隔で平行に配列されている。
【００２３】
なお、第１接続ランド３２と第２接続ランド３３とは対向した位置関係である。また、本実施形態においては、第２接続ランド３２の裏面にループコイル形成パターン３１の他端部が位置している。
【００２４】
複数の第１スルーホール３４は、ループコイル形成パターン３１の他端と、第２接続ランド３３とを電気的に接続する。
【００２５】
第２スルーホール３５は、ループコイル２の一端であるコイル先端側を構成する先端形成ループコイル形成パターン３１ｆの他端を面３０ｈに導く。先端形成ループコイル形成パターン３１ｆの一端は、複数の第１接続ランド３２のうち、一端側に位置する一端側第１接続ランド３２ｆに接続されている。
【００２６】
第１配線パターン３６は、面３０ｈに形成されて、面３０ｈに設けられた第２スルーホール３５と、第３接続ストリップ基板２３に設けられた配線である第１接続パターン２４と、を電気的に接続する直線パターンである。
【００２７】
第２配線パターン３７は、面３０ｈに形成されて、ループコイル２の他端である基端を構成する第２接続ランド３３ｒと、第３接続ストリップ基板２３に設けられた配線である第２接続パターン２５と、を電気的に接続する屈曲パターンである。
【００２８】
ここで、カプセル形状の筐体内に収容される生体情報取得装置内蔵基板１０の組み立てについて説明する。  
まず、図４に示すように第１円形回路基板１１と、第２円形回路基板１２と、第３円形回路基板１３とがそれぞれ平行に配置されるように各円形基板１１、１２、１３に接続されている接続ストリップ基板２１、２２、２３を適宜折り曲げる。そして、二点鎖線に示すような略円筒形状部を形作る。この構成において、電源部３は、第２円形回路基板１２と第３円形回路基板１３との間に配置させる。
【００２９】
一方、受信コイル形成基板３０については、図５に示すようにループコイル形成パターン３１がパイプ外周面側に位置するように丸める。そして、各第１接続ランド３２と各第２接続ランド３３とを当接配置させる。その後、図６に示すように各第１接続ランド３２と各第２接続ランド３３とを異方性導電ペースト（以下、ＡＣＰと略記する）４０によって電気的に接続すると共に一体的に固定して、受信コイル形成基板３０をパイプ形状に保持する。
【００３０】
このとき、図６の拡大図に示すようにすると、一端が第１接続ランド３２に接続されていたループコイル形成パターン３１の基端と、第２接続ランド３３とが、第１スルーホール３３及びＡＣＰ４０によって接続固定される。
【００３１】
この結果、受信コイル形成基板３０の一面側表面３０ｔに設けられていた複数のループコイル形成パターン３１は、図５、図７に示すようにパイプ形状に形作られた受信コイル形成基板３０の外周面上でループコイル２として構成される。
【００３２】
この後、第３接続ストリップ基板２３を適宜折り曲げて、略円筒形状部を構成する電源部３を含む円形回路基板１１、１２、１３を、パイプ形状に形作られた受信コイル形成基板３０の空隙３０ｓ内に収納する。このとき、図７の矢印７Ｙ１に示すように第３円形回路基板１３側から、或いは矢印７Ｙ２に示すように第１円形回路基板１１側から空隙３０ｓ内に収納する。
【００３３】
この結果、図８に示すように電源部３を含む円形回路基板１１、１２、１３が受信コイル形成基板３０に収容された、生体情報取得装置内蔵基板１０の組み立てが完了する。この後、生体情報取得装置内蔵基板１０をカプセル形状の筐体内に収める。このとき、パイプ形状の生体情報取得装置内蔵基板１０の軸方向と、カプセル形状の筐体の軸方向とを一致させる。
【００３４】
このように、受信コイル形成基板３０の予め定めた面３０ｔの予め定めた位置に予め定めた形状のループコイル形成パターン３１  及び第１接続ランド３２を複数設ける。また、受信コイル形成基板３０のループコイル形成パターン３１を形成した面３０ｔとは反対の面３０ｈの予め定めた位置に第１接続ランド３２と同様な第２接続ランド３３を対向した位置関係で設ける。そして、ループコイル形成パターン３１が、パイプ外周面側に配置されるように受信コイル形成基板３０をパイプ形状に丸める。そのとき、対向する第１接続ランド３２と第２接続ランド３３とを当接配置させ、ＡＣＰ４０によって第１接続ランド３２と第２接続ランド３３とを固定する。この結果、容易にループコイル２を得ることができる。
【００３５】
この構成によれば、複数のループコイル形成パターン３１を所定の位置で電気的に接続してループコイル２を形成することにより、ループコイル２の配線長を均一にすることができる。この結果、受信コイルの容量のバラツキが減少する、言い換えれば、安定した受信動作を得られる。
【００３６】
なお、本実施形態においてループコイル２は、カプセル内視鏡１の外部装置である送受信装置（不図示）から出力される交流磁場に基づき誘導起電力を生じるための受信用コイルとしている。しかし、ループコイル２は、交流磁場に基づき誘導起電力を生じる受信用コイルに限定されるものではなく、起動に用いる信号、停止に用いる信号、撮像部の動作（モード）切替信号、或いは、照明部の動作（モード）切替信号等の交流磁場を受信するコイルに適用できることは言うまでもない。
【００３７】
また、本実施形態においては、略円筒形状に形作った円形回路基板１１、１２、１３等を、パイプ形状に形作られた受信コイル形成基板３０の空隙３０ｓ内に収容して生体情報取得装置内蔵基板１０を組み立てるとしている。しかし、略円筒形状に形作った円形回路基板１１、１２、１３等を受信コイル形成基板３０の空隙３０ｓ内に収容する代わりに、受信コイル形成基板３０を略円筒形状に形作った円形回路基板１１、１２、１３に巻き付けて生体情報取得装置内蔵基板１０を構成するようにしてもよい。
【００３８】
また、本実施形態においては、第１接続ランド３２と第２接続ランド３３との接続及び固定をＡＣＰとしている。しかし、第１接続ランド３２と第２接続ランド３３との接続及び固定は、ＡＣＰに限定されるものではなく、例えば、異方性導電フィルム（ＡＣＦ）による接続及び固定、接続ランド３２、３３にバンプを形成してペースト状或いはフィルム状の先供給型アンダーフィル材（ＮＣＰ，ＮＣＦ）を用いての接続及び固定、または樹脂先塗り金属接合（ＥＳＣ工法）による接続及び固定、超音波フリップチップ接続（超音波ＦＣ工法）による接続及び固定、金属ワイヤーで電極を接続する（ワイヤーボンディング（ＷＢ）工法）による接続及び固定、半田付けによる接続及び固定等であってもよい。
【００３９】
また、複数の円形回路基板１１、１２、１３と、受信コイル形成基板３０との接続位置は、図２に示した位置に限定されるものではない。例えば、図９に示すように第２接続ストリップ基板２２に対して直交する第３接続ストリップ基板２３を設け、その第３接続ストリップ基板２３に受信コイル形成基板３０を接続等の構成であってもよい。
【００４０】
即ち、複数の円形回路基板１１、１２、１３を円筒形状に構成することが容易で、且つ受信コイル形成基板３０の空隙３０ｓ内に収容して、或いは、略円筒形状に形作った円形回路基板１１、１２、１３に受信コイル形成基板３０を巻き付けて生体情報取得装置内蔵基板１０を構成することが可能であれば、受信コイル形成基板３０を接続ストリップ基板２１、２２、２３のいずれに接続するようにしてもよい。
【００４１】
また、受信コイル形成基板３０の構成は、図３に示す構成に限定されるものではなく、例えば図１０に示すように受信コイル形成基板３０Ａを構成するようにしてもよい。  
図１０に示す受信コイル形成基板３０Ａでは、面３０ｈに複数の接続線４１ａを設けている。複数の接続線４１ａは、ループコイル形成パターン３１と同様に第１辺３８に対して角度θで傾斜して形成されている。
【００４２】
各接続線４１ａの一端は、それぞれ対応する第２接続ランド３３に接続されて所定長さに設定されている。本実施形態おいて、各接続線４１ａの他端は、第２接続ランド３３から予め定めた距離離間し、接続線４１ａの他端部と、ループコイル形成パターン３１の他端部とが重なり合う位置関係となるように設定されている。  
そして、各ループコイル形成パターン３１の他端部と、各信号線４１ａの他端部とは、第１接続部である第１スルーホール３４ａによって電気的に接続されている。
【００４３】
つまり、本図においては、ループコイル形成パターン３１の他端と第２接続ランド３３とを電気的に接続する第１接続部が信号線４１ａと第１スルーホール３４ａとによって構成される。
【００４４】
この構成によれば、上述したように受信コイル形成基板３０をパイプ形状に丸めて、第１接続ランド３２と第２接続ランド３３とを接続固定することによって、上述した実施形態同様の作用及び効果を得ることができる。
【００４５】
また、受信コイル形成基板３０Ａにおいては、ループコイル２の基端を構成する第２接続ランド３３ｒの代わりにループコイル２の基端を構成する基端形成ループコイル形成パターン３１ｒを設けている。基端形成ループコイル形成パターン３１ｒの一端は、第２接続ランド３３ｒに接続され、他端は、予め定めた位置まで延出されている。
【００４６】
そして、ループコイル２の基端を構成する基端形成ループコイル形成パターン３１ｒの他端部は、第２スルーホール３５を介して面３０ｈに形成されている直線パターンである第２配線パターン３７ａと電気的に接続されている。  
この構成によれば、上述した実施形態同様の作用及び効果を得ることができる。
【００４７】
なお、受信コイル形成基板３０の組立性を考慮して、図１１に示すように受信コイル形成基板３０Ｂに位置合わせ手段としての孔を設ける、或いは図１２に示すように受信コイル形成基板３０Ｃに位置合わせ手段としての切り欠きを設けるようにしてもよい。
【００４８】
図１１に示す受信コイル形成基板３０Ｂの位置合わせ手段は、予め定めた位置に形成した位置合わせ孔４２ａ、４２ｂ、４３ａ、４３ｂである。第１位置合わせ孔４２ａ、４２ｂとは対向する位置関係で配置され、第２位置合わせ孔４３ａ、４３ｂとは対向する位置関係で配置されている。
【００４９】
この構成によれば、上述したように受信コイル形成基板３０Ｂをパイプ形状に丸めて第１接続ランド３２と第２接続ランド３３とを当接配置させたとき、第１位置合わせ孔４２ａ、４２ｂおよび第２位置合わせ孔４３ａ、４３ｂが重なり合う。これら重なり合った第１位置合わせ孔４２ａ、４２ｂおよび第２位置合わせ孔４３ａ、４３ｂにそれぞれ位置決めピン（不図示）を挿通配置させる。  
このことによって、丸めた受信コイル形成基板３０Ｂがパイプ形状に保持されて第１接続ランド３２と第２接続ランド３３とが対向した位置関係に配置されるので、第１接続ランド３２と第２接続ランド３３との接続固定を容易に行える。
【００５０】
図１２に示す受信コイル形成基板３０Ｃの位置合わせ手段は、予め定めた位置に形成した第１位置合わせ切欠４４と、第２位置合わせ切欠４５とである。第１位置合わせ切欠４４は、係入溝を構成し、第２位置合わせ切欠４５は係入部を構成する。
【００５１】
この構成によれば、上述したように受信コイル形成基板３０Ｃをパイプ形状に丸めて第１接続ランド３２と第２接続ランド３３とを当接配置させたとき、係入部を構成する第２位置合わせ切欠４５を、係入溝である第１位置合わせ切欠４４に係入する。  
このことによって、丸めた受信コイル形成基板３０Ｃがパイプ形状に保持されて第１接続ランド３２と第２接続ランド３３とが対向した位置関係に配置される。  
なお、図中破線に示すように受信コイル形成基板３０Ｃの両側部に第１位置合わせ切欠４４と、第２位置合わせ切欠４５とを設けるようにしてもよい。
【００５２】
尚、本発明は、以上述べた実施形態のみに限定されるものではなく、発明の要旨を逸脱しない範囲で種々変形実施可能である。
【符号の説明】
【００５３】
１…カプセル内視鏡    ２…ループコイル    ２ａ…配線    ３…電源部    
４…機能実行部    ５…撮像部    ６…照明部    ７…信号処理部    ８…無線送受信部
９…制御部    １０…生体情報取得装置内蔵基板    １１…第１円形回路基板
１２…第２円形回路基板    １３…第３円形回路基板    ２１…第１接続ストリップ基板
２２…第２接続ストリップ基板    ２３…第３接続ストリップ基板    
２４…第１接続パターン    ２５…第２接続パターン
３０、３０Ａ、３０Ｂ、３０Ｃ…受信コイル形成基板    ３０ｈ…面    ３０ｓ…空隙
３０ｔ…一面側表面    ３１…ループコイル形成パターン    
３１ｆ…先端形成ループコイル形成パターン    
３１ｒ…基端形成ループコイル形成パターン    ３２…第１接続ランド
３２ｆ…一端側第１接続ランド    ３３…第２接続ランド    ３３…第２接続ランド
３３ｒ…基端用第２接続ランド    ３４、３４ａ…第１スルーホール    
３５…第２スルーホール    ３６…第１配線パターン    
３７、３７ａ…第２配線パターン    ３８…第１辺    ３９…第２辺    ４１ａ…接続線
４２ａ、４２ｂ、４３ａ、４３ｂ…位置合わせ孔    ４４…第１位置合わせ切欠
４５…第２位置合わせ切欠
【図１】
2013005835.tif 000003
【図２】
2013005835.tif 000004
【図３】
2013005835.tif 000005
【図４】
2013005835.tif 000006
【図５】
2013005835.tif 000007
【図６】
2013005835.tif 000008
【図７】
2013005835.tif 000009
【図８】
2013005835.tif 000010
【図９】
2013005835.tif 000011
【図１０】
2013005835.tif 000012
【図１１】
2013005835.tif 000013
【図１２】
2013005835.tif 000014